(57)【特許請求の範囲】
【請求項１】
映像信号及び音声信号を符号化して第１の符号化情報を出力する第１の符号化手段と、
複数の地域に関する特定の情報である地域別情報を符号化して第２の符号化情報を出力する第２の符号化手段と、
少なくとも、上記第１の符号化情報、及び、上記地域別情報内の各地域の情報毎に各々地域コードが挿入される上記第２の符号化情報を多重化して送信する送信手段とを有する送信装置と、
少なくとも、映像信号及び音声信号が符号化された上記第１の符号化情報と、複数の地域に関する特定の情報である地域別情報が符号化されると共に当該地域別情報内の各地域の情報毎に各々地域コードが挿入される上記第２の符号化情報とが多重化された特定の放送信号を選局する選局手段と、
上記選局手段により選局された上記特定の放送信号を上記第１の符号化情報及び上記第２の符号化情報に分離する信号分離手段と、
上記第１の符号化情報を復号して上記映像信号及び上記音声信号を出力する第１の復号手段と、
入力される地域コードと、上記第２の符号化情報に挿入される地域コードとが一致したときに、当該地域コードに対応する上記第２の符号化情報を復号し、復号された地域別情報を出力する第２の復号手段と、
上記第２の復号手段より出力された地域別情報を蓄積する地域別情報蓄積手段と、
本装置の位置を検出し、当該検出された位置に対応する地域コードを上記第２の復号手段に供給する位置検出手段とを有する受信装置とを備え、
上記位置検出手段は、
本受信装置の位置を検出する位置検出部と、
上記位置検出部により検出された位置情報から地域コードよりも精度の高い地域情報コードを判別する地域判別手段と、
上記地域判別手段により判別された上記地域情報コードを蓄積すると共に、当該地域情報コードに対応する地域コードを上記第２の復号手段に供給するメモリ手段とを有し、
上記位置を検出した後は、上記メモリ手段を動作させ、上記位置検出部及び上記地域判別手段を休止状態とするように制御することを特徴とする送受信システム。
【請求項２】
更に、外部コマンダからの入力信号としての地域コードを上記第２の復号手段に供給する制御手段を備えたことを特徴とする請求項１に記載の送受信システム。
【請求項３】
上記位置検出部は、
複数衛星からの位置信号を受信するＧＰＳ受信部であることを特徴とする請求項１に記載の送受信システム。
【請求項４】
上記メモリ手段は、
上記地域情報コードを上記地域コードに変換するためのテーブルを記憶し、入力される上記地域情報コードに対応する上記地域コードを出力することを特徴とする請求項１に記載の送受信システム。
【請求項５】
上記位置検出部は、
複数地域から送信されるテレビ放送波の電界強度に基づいて上記受信装置の位置を検出することを特徴とする請求項１に記載の送受信システム。
【請求項６】
更に、外部からの選択信号に応じて上記地域別情報蓄積手段に蓄積される複数の地域別情報を選択的に出力する第１のセレクタとを備えたことを特徴とする請求項１に記載の送受信システム。
【請求項７】
更に、外部からの選択信号に対応する制御信号を出力する制御部と、
上記制御部からの制御信号に応じて、上記第１の復号手段で復号された上記映像信号、上記音声信号、及び上記第１のセレクタから出力される地域別情報を選択的に出力する第２のセレクタとを備えたことを特徴とする請求項６に記載の送受信システム。
【請求項８】
少なくとも、映像信号及び音声信号が符号化された第１の符号化情報と、複数の地域に関する特定の情報である地域別情報が符号化されると共に当該地域別情報内の各地域の情報毎に各々地域コードが挿入される第２の符号化情報とが多重化された特定の放送信号を選局する選局手段と、
上記選局手段により選局された上記特定の放送信号を上記第１の符号化情報及び上記第２の符号化情報に分離する信号分離手段と、
上記第１の符号化情報を復号して記映像信号及び上記音声信号を出力する第１の復号手段と、
入力される地域コードと、上記第２の符号化情報に挿入される地域コードとが一致したときに、当該地域コードに対応する上記第２の符号化情報を復号し、復号された地域別情報を出力する第２の復号手段と、
上記第２の復号手段より出力された地域別情報を蓄積する地域別情報蓄積手段と、
本装置の位置を検出し、当該検出された位置に対応する地域コードを上記第２の復号手段に供給する位置検出手段とを備え、
上記位置検出手段は、
本受信装置の位置を検出する位置検出部と、
上記位置検出部により検出された位置情報から地域コードよりも精度の高い地域情報コードを判別する地域判別手段と、
上記地域判別手段により判別された上記地域情報コードを蓄積すると共に、当該地域情報コードに対応する地域コードを上記第２の復号手段に供給するメモリ手段とを有し、
上記位置を検出した後は、上記メモリ手段を動作させ、上記位置検出部及び上記地域判別手段を休止状態とするように制御することを特徴とする受信装置。
【請求項９】
更に、外部コマンダからの入力信号としての地域コードを上記第２の復号手段に供給する制御手段を備えたことを特徴とする請求項８に記載の受信装置。
【請求項１０】
上記位置検出部は、
複数衛星からの位置信号を受信するＧＰＳ受信部であることを特徴とする請求項８に記載の受信装置。
【請求項１１】
上記メモリ手段は、
上記地域情報コードを上記地域コードに変換するためのテーブルを記憶し、入力される上記地域情報コードに対応する上記地域コードを出力することを特徴とする請求項８に記載の受信装置。
【請求項１２】
上記位置検出手段は、複数地域から送信されるテレビ放送波の電界強度に基づいて上記受信装置の位置を検出することを特徴とする請求項８に記載の受信装置。
【請求項１３】
更に、外部からの選択信号に応じて上記地域別情報蓄積手段に蓄積される複数の地域別情報を選択的に出力する第１のセレクタとを備えたことを特徴とする請求項８に記載の受信装置。
【請求項１４】
更に、外部からの選択信号に対応する制御信号を出力する制御部と、
上記制御部からの制御信号に応じて、上記第１の復号手段で復号された上記映像信号、上記音声信号、及び上記第１のセレクタから出力される地域別情報を選択的に出力する第２のセレクタとを備えたことを特徴とする請求項１３に記載の受信装置。
【発明の詳細な説明】
【０００１】
【発明の属する技術分野】
この発明は、放送システムなどに適用して好適な送受信システムおよび受信装置に関する。詳しくは、放送信号の他にその地域特有な情報（地域別情報）を送信し、受信側では地域コードによってその地域別情報を検索し、これを表示することによってその地域特有な情報（天気図、地図、コマーシャルなど）を入手できるようにしたものである。
【０００２】
【従来の技術】
ディジタル技術の発展に伴い、放送界でも放送信号を含めた各種情報をディジタル化したインタラクティブ形式の統合ディジタル放送システム（ＩＳＤＢ（Integrated Services Digital Broadcasting）システムという）が研究・開発されている。
【０００３】
具体的には、このＩＳＤＢシステムとは現行の放送信号（標準テレビジョン信号、ハイビジョン信号）を始めとして、ソフトウエアやファクシミリなどのデータ、さらには音声、文字、図形、画像などのマルチメディア情報をそれぞれディジタル化（符号化）し、それらを統合多重化した上で、伝送形態に合致した変調処理を施して送受信するようにした放送システムのことである。
【０００４】
放送信号を含めた各種情報を統合多重化する場合、これらの情報の他に受信側での制御情報として使用する付加情報も同時に統合多重化されて送信することができる。統合化されたＩＳＤＢ用放送信号（ディジタル信号）は地上波、衛星波、光ケーブルなどを利用して送信される。
【０００５】
受信端末側では、統合化されたＩＳＤＢ用放送信号を受信して目的の信号を弁別することによってそれをモニタに表示させて通常のテレビ放送として楽しむことができることは勿論、記録手段を用いて記録（保存）したり、他の端末に転送したりすることができる。さらに受信した付加情報を利用すれば、モニタ制御、記録制御さらにはモニタされた画像に対する加工制御など、ユーザの好みに応じて受信情報を利用できることになる。つまり、対話形式（インタラクティブ）の放送システムを構築できる。
【０００６】
【発明が解決しようとする課題】
したがってこのＩＳＤＢシステムを利用すれば、送信される付加情報が多種、多様になる程、ユーザに対するサービス内容が向上し、より双方向的な放送システムを構築できる。
【０００７】
さて、現行の情報送受信システムの中にはキャプテンシステムのように、情報センター（キャプテンセンター）に蓄積されているスポーツ、ショッピングなどの各種情報を、電話回線を利用して選択し、画面上の指示にしたがって必要な情報を選択できるようにしたものがある。
【０００８】
このキャプテンシステムは電話回線とテレビを使用するだけで必要な情報を視聴者（ユーザ）が入手できるので非常に便利である反面、特定の情報を選択するには多数の手順を経なければならないので、視聴者の近辺の情報などを選択するには比較的面倒な作業が必要である。利用するにはその都度、電話回線を利用しなければならないという問題もある。
【０００９】
多チャネルの放送信号を多重伝送できる放送システムが構築されれば、上述したような特定の地域だけに有効な情報も放送信号として伝送することができるようになり、視聴者は単に特定のチャネルと特定の地域を選択するだけで、ローカル色豊かな情報を入手できることになり、非常に便利である。
【００１０】
そこで、この発明はこのような課題を達成できるようにしたものであって、地域別情報などの特定の情報を送信し、これを選択的に受信・保存できるようにしたものである。
【００１１】
【課題を解決するための手段】
上述した課題を解決するために、請求項１に記載の送受信システムは、映像信号及び音声信号を符号化して第１の符号化情報を出力する第１の符号化手段と、複数の地域に関する特定の情報である地域別情報を符号化して第２の符号化情報を出力する第２の符号化手段と、少なくとも、上記第１の符号化情報、及び、上記地域別情報内の各地域の情報毎に各々地域コードが挿入される上記第２の符号化情報を多重化して送信する送信手段とを有する送信装置と、
少なくとも、映像信号及び音声信号が符号化された上記第１の符号化情報と、複数の地域に関する特定の情報である地域別情報が符号化されると共に当該地域別情報内の各地域の情報毎に各々地域コードが挿入される上記第２の符号化情報とが多重化された特定の放送信号を選局する選局手段と、上記選局手段により選局された上記特定の放送信号を上記第１の符号化情報及び上記第２の符号化情報に分離する信号分離手段と、上記第１の符号化情報を復号して上記映像信号及び上記音声信号を出力する第１の復号手段と、入力される地域コードと、上記第２の符号化情報に挿入される地域コードとが一致したときに、当該地域コードに対応する上記第２の符号化情報を復号し、復号された地域別情報を出力する第２の復号手段と、上記第２の復号手段より出力された地域別情報を蓄積する地域別情報蓄積手段と、本装置の位置を検出し、当該検出された位置に対応する地域コードを上記第２の復号手段に供給する位置検出手段とを有する受信装置とを備え、上記位置検出手段は、本受信装置の位置を検出する位置検出部と、上記位置検出部により検出された位置情報から地域コードよりも精度の高い地域情報コードを判別する地域判別手段と、上記地域判別手段により判別された上記地域情報コードを蓄積すると共に、当該地域情報コードに対応する地域コードを上記第２の復号手段に供給するメモリ手段とを有し、上記位置を検出した後は、上記メモリ手段を動作させ、上記位置検出部及び上記地域判別手段を休止状態とするように制御することを特徴とするものである。
【００１３】
上述した課題を解決するために、請求項８に記載の受信装置は、少なくとも、映像信号及び音声信号が符号化された第１の符号化情報と、複数の地域に関する特定の情報である地域別情報が符号化されると共に当該地域別情報内の各地域の情報毎に各々地域コードが挿入される第２の符号化情報とが多重化された特定の放送信号を選局する選局手段と、上記選局手段により選局された上記特定の放送信号を上記第１の符号化情報及び上記第２の符号化情報に分離する信号分離手段と、上記第１の符号化情報を復号して記映像信号及び上記音声信号を出力する第１の復号手段と、入力される地域コードと、上記第２の符号化情報に挿入される地域コードとが一致したときに、当該地域コードに対応する上記第２の符号化情報を復号し、復号された地域別情報を出力する第２の復号手段と、上記第２の復号手段より出力された地域別情報を蓄積する地域別情報蓄積手段と、本装置の位置を検出し、当該検出された位置に対応する地域コードを上記第２の復号手段に供給する位置検出手段とを備え、上記位置検出手段は、本受信装置の位置を検出する位置検出部と、上記位置検出部により検出された位置情報から地域コードよりも精度の高い地域情報コードを判別する地域判別手段と、上記地域判別手段により判別された上記地域情報コードを蓄積すると共に、当該地域情報コードに対応する地域コードを上記第２の復号手段に供給するメモリ手段とを有し、上記位置を検出した後は、上記メモリ手段を動作させ、上記位置検出部及び上記地域判別手段を休止状態とするように制御することを特徴とするものである。
【００１７】
メイン情報として、番組などの放送信号の他に、その放送信号を受信できるエリアをカバーする多数の地域に特有なローカル色豊かな地域別情報を地域コードと共に多重送信し、これを受信装置で復号し、メモリする。復号部では地域コードが与えられており、入力地域コードに一致した地域別情報のみがメモリされる。
【００１８】
入力地域コードは制御部で生成されたコードを使用することもできるし、自動的に生成されたものを使用することもできる。自動生成の一手段として装置が置かれた緯度と経度を自動的に判別し、現在位置を特定するＧＰＳ（Global Positioning System）システムを利用できる。ＧＰＳ装置から得られる地域情報コードが地域コードとして利用され、この地域コードが復号部に与えられる。これによってメモリ手段には自動的にその視聴者の近辺の地域情報のみが蓄積されるので、地域情報を簡単に利用できる。
【００１９】
【発明の実施の形態】
続いて、この発明に係る送受信システムおよび受信装置の実施の一形態を、図面を参照して詳細に説明する。
【００２０】
図１はこの発明に係るＩＳＤＢ用送信装置１０の一形態を示す要部の系統図であって、本例では説明の便宜上統合されて送信されるメイン情報としては、標準テレビジョン信号、ハイビジョン信号そして各種データ情報であるものとする。そして、そのそれぞれには制御情報などの付加情報が付加されて多重化される。付加情報は多種多様な情報が考えられる。標準テレビジョン信号やハイビジョン信号に関してはタイムコードなどが考えられる。
【００２１】
図１を参照すると、端子１２ａには標準テレビジョン信号のうち映像信号ＳＶＮが、端子１２ｂにはそれに付随した音声信号ＳＡＮが供給され、符号化部１４で圧縮などを含めた適切な符号化処理が施される。この符号化処理に同期して付加情報発生手段１６が動作して、制御情報などの付加情報が生成される。本例では付加情報としてタイムコードを例示するので、タイムコード発生部１６として構成される。符号化された標準テレビジョン信号およびタイムコードＴＣは多重化部２０に供給されて他の情報と共に多重化処理がなされる。
【００２２】
端子２２ａにはハイビジョン信号のうち映像信号ＳＶＨが、端子２２ｂにはそれに付随した音声信号ＳＡＨが供給され、符号化部２４で圧縮などを含めた適切な符号化処理が施される。この符号化処理に同期して付加情報発生手段としてのこの例ではタイムコード発生部２６が起動されて所定のタイムコードが生成される。
【００２３】
端子２８ａにはコンピュータデータや、ファクシミリデータなどの各種データＳＤが供給され、これが符号化部３０で符号化される。同時に付加情報発生手段３２が起動されて対応する付加情報が生成される。付加情報としては、データの種類や拡大縮小するためのエリア指定などが考えられる。
【００２４】
この発明ではデータの１つとして放送信号が受信できる地域（サービスエリア）のうち複数の地域に関する特定の情報（地域別情報）が利用される。この地域別情報とはその地域特有な情報であって、その地域の天気予報（当日、翌日、週間、月間など）、電話帳、地図、地図でも官公庁や金融業、マーケット、飲食店、理髪店などタウン情報として必要な特定の業種を主体とした地図、特定の業種の営業時間や、サービス内容などその地域に密着した特定の情報やさらにはコマーシャル情報などが考えられる。
【００２５】
これらの地域別情報は、放送信号がカバーするエリアに存在する例えば市町村の各地域（面積の大小は問わない）を基準にして収集された情報であり、好ましくは放送信号がカバーするサービスエリアの全ての市町村が対象となる。全ての市町村の情報を放送信号で送信することは送信時間などの問題を解決する必要がある。しかし実際問題として観光地、歓楽街などは既に市販されている雑誌などを参照すれば足りる場合が多いので、より生活に密着した地域別情報を、地域を細分化して収集するとすれば、収集量もある程度絞ることができ、またその方がサービス向上につながことになる。
【００２６】
図１に示すようにそれぞれから得られた符号化情報や付加情報はそれぞれ多重化部２０において多重される。多重化部２０では、例えば符号化情報のそれぞれに対してパケット化し、それに誤り訂正のための符号化を施したもの同士を伝送フレーム単位で多重してビットストリーム化するような処理が行なわれる。
【００２７】
したがって上述した地域別情報もその地域を示す地域コードと共に圧縮、多重化される。そして例えば図２Ａのようにパケットヘッダに続けて地域別情報が挿入されて他のメイン情報と共に送信することができる。地域別情報にはその前段に同図Ｂに示すようなそれぞれ該当地域を示す地域コードが付される。
【００２８】
同図Ｂはコマーシャル情報を例示してあって、情報提供先とは特定の業種のコマーシャル提供者を示し、次の具体的情報とはそのコマーシャル先の具体的な業務内容やサービス内容などが情報として提供される。地域コードにサブコードを付けるなどして地域別情報を階層化して提供することもできる。
【００２９】
多重化したデータは図１に示す送信部３４で送信手段（例えば放送衛星）に適した送信形態となされたＩＳＤＢ用放送信号に変調されたのち、この例ではアップコンバータ３６を経て送信アンテナ（パラボラアンテナ）３８で放送衛星に向けて送信される。
【００３０】
図３はこのようなＩＳＤＢ用放送信号を受信するこの発明に係る受信装置４０の一例を示す。受信アンテナ（パラボラアンテナ）４２で受信した衛星波はダウンコンバータ４４によって１ＧＨｚ帯にダウンコンバートされ、その後ＩＳＤＢ用チューナ４６に供給されて選局処理が行なわれる。そのため端子４８よりの選局信号ＳＣによって特定チャネルのＩＳＤＢ用放送信号が選局される。
【００３１】
選局されたＩＳＤＢ用放送信号は信号分離部５０に供給されて、本来のメイン情報と付加情報に分離される。例えば標準テレビジョン信号のうち特定のチャネルが選局されたときには、標準テレビジョン信号とこの特定チャネルに付随する付加情報（タイムコードなど）とに分離される。分離された標準テレビジョン信号は復号部５２において復号され、映像信号ＳＶ（ＳＶＮ）と音声信号ＳＡ（ＳＡＮ）とがそれぞれ復号され、これらはモニタ（ＣＲＴなど）５４に供給されて映像が映し出される。
【００３２】
信号分離部５０で分離された情報のうちデータＳＤに関するデータ情報は別の復号部５６に供給され、地域別情報の復号処理が行なわれる。受信した地域別情報はサービスエリアに存在する多数の地域が包含されているので、特定の地域に生活する視聴者にとっては不要なデータであることが多い。そこで、予め地域コードを入力し、この地域コードと受信した地域コードが一致した地域別情報のみが復号処理され、さらにその復号データが後段のメモリ手段７４で蓄積される。メモリ手段７４は半導体メモリ（ＲＡＭなど）や光磁気ディスク記録再生装置などを利用できる。
【００３３】
地域コードの入力は手動でも、自動でもよい。手動で入力する場合は制御部７０で生成された地域コードがオア回路７２を介して復号部５６に与えられる。制御部７０は図４に示すような入力制御装置としてのコマンダ８０からの指令に基づいて制御される。
【００３４】
コマンダ８０は例えば図４に示すように電源スイッチ８２の他に、チャネル選局用のテンキー（１０キー）８４、順次選局スイッチ８６、ボリュームスイッチ８８が設けられ、さらにモニタ５４に対する表示モードの選択スイッチ９０が設けられる。カーソルキー９２は画面に表示されたカーソル（図示はしない）を移動させるキーである。
【００３５】
地域コードの自動入力は以下のような装置を利用できる。この例ではＧＰＳシステムを利用した場合である。ＧＰＳシステムは周知のように複数の衛星からの信号をキャッチして、ＧＰＳ装置の置かれた経度と緯度から自動的にその位置を計算し、指示するシステムであって、これは自動車の走行位置を画面上に表示された地図にカーソルで指示したりする自動追尾装置に応用されている。このＧＰＳシステムを使用すると、受信装置４０の位置を正確に検出できるからこのときに得られる地域情報コードを上述した地域コードとして利用できる。
【００３６】
したがって図３に示したＧＰＳ装置６０は次のように構成される。受信アンテナ６２で受信した複数衛星からの位置信号はＧＰＳ受信部６４に供給され、ＧＰＳ装置６０の位置が自動的に計算され、計算結果である位置情報は地域判別手段６６に供給されて受信地域に割り当てられている地域情報コードに変換される。この地域情報コードがＲＡＭなどのメモリ手段６８に蓄積される。その位置が検出された後はメモリ手段６８だけを動作させ、それ以外を休止状態となるように制御することもできる。これで節電できる。
【００３７】
地域情報コードはオア回路７２を経由して復号部５６に供給され、この地域情報コードが地域コードとして利用される。したがってＧＰＳ装置６０によって受信装置４０の置かれている位置が検出されると、その地域情報コードを利用して復号部５６ではその地域に関する情報だけが自動的にメモリされる。
【００３８】
ここで、地域情報コードはその分解能が数メートルから数１０メートルと言う精度で求めることができるので、例えば市町村を単位として付された地域コードを確実にカバーできる。地域情報コードと地域コードとの対応関係を明確にするため、地域情報コードを地域コードに自動変換するテーブル（メモリ）を用意することもでき、その場合にはこのテーブルを上述したメモリ手段６８で兼用することもできる。
【００３９】
メモリ手段７４に蓄積された地域別情報はさらにセレクタ７６において選択され、選択された特定の地域別情報がモニタ５４に映し出される。地域別情報の取捨選択を行なうのは、同じ地域別情報でも必要な情報とそうでない情報があり、これを視聴者が自由に選択できるようにするためである。セレクタ７６は制御部７０の出力で制御される。地域別情報が階層化されているときは、例えばメモリ手段７４に直接階層化コードを与え、特定の情報のみリードするようにすることもでき、その場合にはセレクタ７６は不要である。復号部５２からの復号出力と地域別情報とはセレクタ７８によって選択され、何れか一方若しくは双方を合成した状態で映像表示される。セレクタ７８はコマンダ８０によって制御される。
【００４０】
セレクタ７６で選択された地域別情報は他の情報端末に与えることもできる。例えばファクスなどを接続すれば、この地域別情報（２値データ）を別の利用者に提供できる。受信装置４０の置かれている位置を検出する手段としてはＧＰＳ装置６０に限らない。例えば複数地域から送信されるテレビ放送波の電界強度を計測して、大間かな位置を検出することもできる。
【００４１】
受信装置４０が自動車などに搭載されているときは、自動車に搭載されたＧＰＳ装置そのものを位置判別手段として利用できるので便利であると共に、自動車が移動している地域に合致した情報のみを選択的に自動取得できるので、娯楽情報源などとしても活用できることになる。
【００４２】
【発明の効果】
以上のように、この発明に係る送受信システムおよび受信装置では、放送信号の他に地域別情報を地域コードを付加して送信し、受信側ではこの地域コードを与えることによって、その地域別情報を自動選択できるようにしたものである。
【００４３】
これによればその地域にちなんだ情報のみを自動的に入手できる特徴を有する。情報入手に当たっては地域コードを与えれば、その後は自動的にその地域コードに合致した情報だけを蓄積できるため、現行のキャプテンシステムなどよりも簡単に必要な情報を入手できる特徴を有する。また、受信装置の位置が検出された後は、メモリ手段を動作させ、位置検出部及び地域判別手段を休止状態とするように制御するので、受信装置を節電できるようになる。したがってこの発明はディジタル放送用のＩＳＤＢシステムに適用して極めて好適である。
【図面の簡単な説明】
【図１】この発明に係るＩＳＤＢ用送信装置の実施の一形態を示す要部の系統図である。
【図２】地域別情報の挿入例を示す図である。
【図３】この発明に係るＩＳＤＢ用受信装置の実施の一形態を示す要部の系統図である。
【図４】コマンダの一例を示す図である。
【符号の説明】
１０  ＩＳＤＢ用送信装置
１４，２４，３０  符号化部
１６，２６  タイムコード発生手段（付加情報発生手段）
２０  多重化部
３２  付加情報発生手段
４６  ＩＳＤＢ用チューナ
５２，５６  復号部
５４  モニタ
６０  位置判別装置
６４  ＧＰＳ受信部
７４  メモリ（地域別情報蓄積手段）
７６  セレクタ（第１のセレクタ）
７８  セレクタ（第２のセレクタ）
【図１】
0003911706.tif 000002
【図２】
0003911706.tif 000003
【図３】
0003911706.tif 000004
【図４】
0003911706.tif 000005